(57)【要約】【課題】構内交換機経由で通話中の携帯電話端末において，簡単に通話を保留および保留解除できるようにする。【解決手段】ＰＢＸ21は，発信元電話機11から発信された内線端末への着信をスマートフォン41に転送する着信転送手段，上記発信元電話機11との間の通話を保留する保留手段，および上記保留手段によって保留された通話の保留を解除する保留解除手段を備える。制御サーバ31は，上記スマートフォン41から送信される保留リクエストおよび保留解除リクエストを受信するリクエスト受信手段，ならびに上記リクエスト受信手段によって受信された保留リクエストおよび保留解除リクエストにしたがう制御信号を上記構内交換機21に送信し，上記構内交換機21の保留手段による通話保留および保留解除手段による保留解除を制御する制御手段を備える。【選択図】図１
2020072355.tif 000002
【特許請求の範囲】
【請求項１】
発信元電話機から発信された内線端末への着信を電話網を通じて携帯電話端末に転送する着信転送手段，上記発信元電話機との間の通話を保留する保留手段，および上記保留手段によって保留された通話の保留を解除する保留解除手段を備える構内交換機，ならびに
上記携帯電話端末からデータ通信網を通じて送信される保留リクエストおよび保留解除リクエストを受信するリクエスト受信手段，ならびに上記リクエスト受信手段によって受信された保留リクエストおよび保留解除リクエストにしたがう制御信号を上記データ通信網を通じて上記構内交換機に送信し，上記構内交換機の保留手段による通話保留および保留解除手段による保留解除を制御する制御手段を備える制御サーバを含む，
通話システム。
【請求項２】
上記構内交換機が，
上記通話が保留されたことおよび上記保留が解除されたことを示す呼状態の変化を，上記制御サーバに通知する呼状態通知手段を備え，
上記制御サーバが，
上記構内交換機の呼状態通知手段によって通知される呼状態の変化に応じて，上記携帯電話端末に画面遷移指示を送信する画面遷移指示送信手段を備えている，
請求項１に記載の通話システム。
【請求項３】
発信元電話機から発信された内線端末への着信を電話網を通じて携帯電話端末に転送する着信転送手段，上記発信元電話機との間の通話を保留する保留手段，および上記保留手段によって保留された通話の保留を解除する保留解除手段を備える構内交換機に接続される制御サーバであって，
上記携帯電話端末からデータ通信網を通じて送信される保留リクエストおよび保留解除リクエストを受信するリクエスト受信手段，ならびに上記リクエスト受信手段によって受信された保留リクエストおよび保留解除リクエストにしたがう制御信号を上記データ通信網を通じて上記構内交換機に送信し，上記構内交換機の保留手段による通話保留および保留解除手段による保留解除を制御する制御手段を備えている，
制御サーバ。
【請求項４】
発信元電話機から発信された内線端末への着信を電話網を通じて携帯電話端末に転送する着信転送手段，上記発信元電話機との間の通話を保留する保留手段，および上記保留手段によって保留された通話の保留を解除する保留解除手段を備える構内交換機に接続される制御サーバの制御方法であって，
リクエスト受信手段によって，上記携帯電話端末からデータ通信網を通じて送信される保留リクエストおよび保留解除リクエストを受信し，
制御手段によって，上記受信した保留リクエストおよび保留解除リクエストにしたがう制御信号を上記データ通信網を通じて上記構内交換機に送信し，上記構内交換機の保留手段による通話保留および保留解除手段による保留解除を制御する制御手段を備えている，
制御サーバの制御方法。
【請求項５】
発信元電話機から発信された内線端末への着信を電話網を通じて携帯電話端末に転送する着信転送手段，上記発信元電話機との間の通話を保留する保留手段，および上記保留手段によって保留された通話の保留を解除する保留解除手段を備える構内交換機と電話網を通じて接続され，かつ上記携帯電話端末からデータ通信網を通じて送信される保留リクエストおよび保留解除リクエストを受信するリクエスト受信手段，ならびに上記リクエスト受信手段によって受信された保留リクエストおよび保留解除リクエストにしたがう制御信号を上記データ通信網を通じて上記構内交換機に送信し，上記構内交換機の保留手段による通話保留および保留解除手段による保留解除を制御する制御手段を備える制御サーバと上記データ通信網を通じて接続される携帯電話端末であって，
上記発信元電話機との通話中に，上記データ通信網を通じて保留リクエストを上記制御サーバに送信するための保留ボタンを表示し，かつ上記発信元電話機との通話保留中に，上記データ通信網を通じて保留解除リクエストを上記制御サーバに送信するための保留解除ボタンを表示するボタン表示手段を備えている，
携帯電話端末。
【請求項６】
発信元電話機から発信された内線端末への着信を電話網を通じて携帯電話端末に転送する着信転送手段，上記発信元電話機との間の通話を保留する保留手段，および上記保留手段によって保留された通話の保留を解除する保留解除手段を備える構内交換機と電話網を通じて接続され，かつ上記携帯電話端末からデータ通信網を通じて送信される保留リクエストおよび保留解除リクエストを受信するリクエスト受信手段，ならびに上記リクエスト受信手段によって受信された保留リクエストおよび保留解除リクエストにしたがう制御信号を上記データ通信網を通じて上記構内交換機に送信し，上記構内交換機の保留手段による通話保留および保留解除手段による保留解除を制御する制御手段を備える制御サーバと上記データ通信網を通じて接続される上記携帯電話端末を制御するプログラムであって，
上記発信元電話機との通話中に保留ボタンを表示画面に表示し，上記保留ボタンが選択されたときに上記データ通信網を通じて上記保留リクエストを上記制御サーバに送信し，
上記発信元電話機との通話保留中に保留解除ボタンを表示画面に表示し，上記保留解除ボタンが選択されたときに上記データ通信網を通じて上記保留解除リクエストを上記制御サーバに送信するように，上記携帯電話端末を制御する，
プログラム。
【発明の詳細な説明】
【技術分野】
【０００１】
この発明は，通話システムに関し，特に構内交換機（ＰＢＸ）経由で携帯電話端末（たとえば，スマートフォン，フィーチャーフォン）に転送された通話に関して，通話保留およびその解除ができるように構内交換機を制御するためのシステムに関する。また，この発明は通話システムを構成する制御サーバおよびその制御方法に関する。
【背景技術】
【０００２】
近年，多くの企業では複数の内線端末を収容した構内交換機（ＰＢＸ）が設置され，内線ごとに割り当てられた電話番号を用いて特定内線を外部から呼び出すダイヤルインサービスが利用されている。また，特定内線への着信を携帯電話やスマートフォン等に転送する着信転送機能も利用されている。
【０００３】
外部からかかってきた電話に応対するときに，その通話を一時的に保留することがある。通話に用いる電話機が構内交換機に接続されるいわゆるビジネスフォンであれば，電話機にあらかじめ用意されている保留ボタンを押下することによって構内交換機に保留指示を出すことができる。しかしながら，構内交換機経由でスマートフォンに通話が転送されていると，スマートフォン（電話アプリケーション）には一般には保留ボタンが用意されていないので，保留することができない（構内交換機に保留指示を出せない）。保留できるとしても，スマートフォンのマイク機能をオフにするにとどまることが多い。
【０００４】
特許文献１は，通話中に携帯電話から発信される保留特番を表すＤＴＭＦ信号に基づいて通話を保留するシステムを記載する。キーパッドで保留のための番号（保留特番）をダイヤルする必要があり，利便性が高いとは言い難い。
【先行技術文献】
【特許文献】
【０００５】
【特許文献１】特許第５４８０５２８号公報
【発明の概要】
【発明が解決しようとする課題】
【０００６】
この発明は，構内交換機経由で通話中の携帯電話端末において，簡単に通話保留および保留解除できるようにすることを課題とする。
【０００７】
この発明による通話システムは，発信元電話機から発信された内線端末への着信を電話網を通じて携帯電話端末に転送する着信転送手段，上記発信元電話機との間の通話を保留する保留手段，および上記保留手段によって保留された通話の保留を解除する保留解除手段を備える構内交換機，ならびに上記携帯電話端末からデータ通信網を通じて送信される保留リクエストおよび保留解除リクエストを受信するリクエスト受信手段，ならびに上記リクエスト受信手段によって受信された保留リクエストおよび保留解除リクエストにしたがう制御信号を上記データ通信網を通じて上記構内交換機に送信し，上記構内交換機の保留手段による通話保留および保留解除手段による保留解除を制御する制御手段を備える制御サーバを含む。
【０００８】
この発明は通話システムを構成する制御サーバも提供する。この発明による制御サーバは，発信元電話機から発信された内線端末への着信を電話網を通じて携帯電話端末に転送する着信転送手段，上記発信元電話機との間の通話を保留する保留手段，および上記保留手段によって保留された通話の保留を解除する保留解除手段を備える構内交換機に接続されるものであって，上記携帯電話端末からデータ通信網を通じて送信される保留リクエストおよび保留解除リクエストを受信するリクエスト受信手段，ならびに上記リクエスト受信手段によって受信された保留リクエストおよび保留解除リクエストにしたがう制御信号を上記データ通信網を通じて上記構内交換機に送信し，上記構内交換機の保留手段による通話保留および保留解除手段による保留解除を制御する制御手段を備えている。
【０００９】
この発明は，上述した制御サーバの制御方法も提供する。
【００１０】
携帯電話端末は，この明細書において，電話網およびデータ通信網の双方に接続可能な小型の情報装置を意味し，通信装置，入力装置（タッチパネル，ボタン），表示装置，マイクロフォン，スピーカ，演算装置，メモリ，記憶装置等を含む。携帯電話端末の記憶装置には基本ソフトウェア（ＯＳ）およびアプリケーション・ソフトウェアがインストールされ，インストールされるアプリケーション・ソフトウェアに応じて電話機能を含む様々な機能が実現される。携帯電話端末にはスマートフォン，フィーチャーフォン等が含まれる。
【００１１】
携帯電話端末の電話番号が転送先電話番号として内線端末の電話番号に対応づけられており，これによって構内交換機の着信転送手段は内線端末の着信を電話網を通じて携帯電話端末に転送する。着信転送の転送先電話番号と内線電話番号の対応付けは構内交換機にあらかじめ設定（記憶）しておくことができる。
【００１２】
この発明によると，構内交換機の保留および保留解除の処理（機能）が，携帯電話端末から指示される。携帯電話端末からの保留および保留解除の指示は，電話網ではなくデータ通信網（たとえばインターネット）を通じて行われるので，ＤＴＭＦ（Dual-Tone Multi-Frequency）信号を利用する必要はない。キーパッドで保留番号ないし保留解除番号を直接にダイヤルする必要をなくすことができ，構内交換機経由で通話中の携帯電話端末を用いて，簡単に通話保留および保留解除の指示を出すことができる。
【００１３】
携帯電話端末からの保留および保留解除の指示は，携帯電話端末から構内交換機に直接に送信されるのではなく，制御サーバを経由して構内交換機に送信される。すなわち，構内交換機の保留処理および保留解除処理を制御するための命令セットは制御サーバに用意される。様々なメーカ製の構内交換機が存在し，命令セットが相互に異なっているとしても，それに対応することができる。
【００１４】
好ましくは，上記構内交換機が，上記通話が保留されたことおよび上記保留が解除されたことを示す呼状態の変化を，上記制御サーバに通知する呼状態通知手段を備え，上記制御サーバが，上記構内交換機の呼状態通知手段によって通知される呼状態の変化に応じて，上記携帯電話端末に画面遷移指示を送信する画面遷移指示送信手段を備えている。現在の呼状態（保留中または通話中）に応じた画面を携帯電話端末に表示させることができる。
【００１５】
この発明は，構内交換機に保留および保留解除を指示する携帯電話端末も提供する。この発明による携帯電話端末は，発信元電話機から発信された内線端末への着信を電話網を通じて携帯電話端末に転送する着信転送手段，上記発信元電話機との間の通話を保留する保留手段，および上記保留手段によって保留された通話の保留を解除する保留解除手段を備える構内交換機と電話網を通じて接続され，かつ上記携帯電話端末からデータ通信網を通じて送信される保留リクエストおよび保留解除リクエストを受信するリクエスト受信手段，ならびに上記リクエスト受信手段によって受信された保留リクエストおよび保留解除リクエストにしたがう制御信号を上記データ通信網を通じて上記構内交換機に送信し，上記構内交換機の保留手段による通話保留および保留解除手段による保留解除を制御する制御手段を備える制御サーバと上記データ通信網を通じて接続されるものであって，上記発信元電話機との通話中に，上記データ通信網を通じて保留リクエストを上記制御サーバに送信するための保留ボタンを表示し，かつ上記発信元電話機との通話保留中に，上記データ通信網を通じて保留解除リクエストを上記制御サーバに送信するための保留解除ボタンを表示するボタン表示手段を備えている。
【００１６】
この発明は，上記携帯電話端末の制御に適するプログラムも提供する。
【図面の簡単な説明】
【００１７】
【図１】通話システムの概略的構成を示すブロック図である。
【図２】通話システムの処理の流れを示すフローチャートである。
【図３】通話システムの処理の流れを示すフローチャートである。
【図４】通話システムの処理の流れを示すフローチャートである。
【図５】スマートフォンの表示画面を示す。
【図６】スマートフォンの表示画面を示す。
【実施例】
【００１８】
図１は企業内通話システムの概略的構成を示すブロック図である。
【００１９】
企業内通話システム１は，発信元電話機11からダイヤルイン番号（固定電話）への発信を，スマートフォン（フィーチャーフォンであってもよい）41に転送する構内交換機（以下，ＰＢＸ（Private Branch eXchanger）と呼ぶ）21と，ＰＢＸ21における通話保留処理および保留解除処理を制御する制御サーバ31とを備えている。
【００２０】
電話機11，ＰＢＸ21およびスマートフォン41は，電話網２を通じて相互に音声通信可能である。電話機11，ＰＢＸ21およびスマートフォン41は，いずれも固有の電話番号（契約者回線番号）を有しており，電話番号を入力して発呼することによって相互に通話することができる。スマートフォン41には電話用アプリケーション・プログラム（電話アプリ）がインストールされており，この電話アプリによってスマートフォン41は電話機（携帯電話）として機能し，かつ以下に詳述するように動作する。
【００２１】
ＰＢＸ21，制御サーバ31およびスマートフォン41はまた，インターネット３（イントラネットを含んでもよく，イントラネットでもよい）を通じて相互にデータ通信可能である。電話機11についてもインターネット３を通じてデータ通信可能なものであってもよい。
【００２２】
電話網２については，その一部または全部にインターネットを利用することができる（いわゆるＩＰ電話）。もっとも，電話（通話）については回線交換が，データ通信についてはパケット交換が，それぞれ用いられるので，音声通信とデータ通信の通信モデルは相互に異なる。
【００２３】
ＰＢＸ21はメモリ22を備え，このメモリ22に，ＰＢＸ21に接続（収容）された複数の内線端末（図示略）のそれぞれについて，内線番号およびダイヤルイン番号，ならびに転送先番号が記憶されている。図１には一台の内線端末についてメモリ22に記憶された設定データが示されており，ここでは，内線番号2010およびダイヤルイン番号03-bbbb-bbbbが設定されている特定の内線端末に，スマートフォン41の電話番号090-dddd-dddd が転送先番号として設定（メモリ22に記憶）されている。内線番号2010またはダイヤルイン番号03-bbbb-bbbbを着番号とする内線発信または外線発信は，メモリ22に記憶されている転送先番号にしたがってスマートフォン41に着信転送される。なお，スマートフォン41への着信転送設定をしておくことによって，ＰＢＸ21に物理的な内線端末を接続しておく必要は必ずしもない。
【００２４】
また，ＰＢＸ21は，従来のＰＢＸと同様の機能をＩＰ（Internet Protocol ）ネットワーク上で提供するいわゆるＩＰ−ＰＢＸでもよく，またインターネット上でＰＢＸの機能を提供する，いわゆるクラウドＰＢＸでもよい。
【００２５】
図２および図３は，発信元電話機11からＰＢＸ21に収納された内線端末の一つ（ダイヤルイン番号）に発信された通話を保留するときの通話システム１の処理の流れを示すフローチャートである。
【００２６】
電話機11を用いてＰＢＸ21に収納された特定の内線端末のダイヤルイン番号に電話をかけると（ステップ51），その発呼は電話網２を通じてＰＢＸ21において着信される。電話機11からＰＢＸ21に，発番号（電話機11の電話番号）と着番号（ダイヤルイン番号）とが電話網２を通じて通知される。
【００２７】
上述のように，ＰＢＸ21のメモリ22には内線番号，ダイヤルイン番号および転送先番号が互いに関連付けられて記憶されており（図１参照），電話機11から通知された着番号（ダイヤルイン番号）に関連付けられてメモリ22に記憶されている転送先番号宛の着信転送処理が行われる。この実施例では，スマートフォン41の電話番号が転送先番号としてＰＢＸ21のメモリ22に記憶されているので，ＰＢＸ21は電話機11からの着信をスマートフォン41に転送することになる。
【００２８】
スマートフォン41においてＰＢＸ21を経由する電話機11からの発呼が着信される（ステップ52）。電話アプリが起動し，音，光，振動等によって着信が知らされる。着信者がオフフックする（電話をとる）（ステップ53）ことでＰＢＸ21は接続処理を行う。発信元電話機11とスマートフォン41との間に，電話網２およびＰＢＸ21を経由する呼接続（通話）54ａ，54ｂが確立される。
【００２９】
図５は，発信元電話機11とスマートフォン41との間の呼接続54ａ，54ｂが確立されたときのスマートフォン41の通話画面（電話アプリにしたがう画面）を示している。
【００３０】
スマートフォン41の通話画面には，発番号（発信元電話機11の電話番号）41ａ，発番号に関連付けられてスマートフォン41のメモリに記憶されている発信者の顔画像41ｂ，ならびに会社名および氏名41ｃが表示される。なお，ＰＢＸ21を経由することによってＰＢＸ21に固有の電話番号がスマートフォン41に通知される場合には，インターネット３に接続された電話帳サーバ（図示略）を経由して，発信元電話機11の電話番号（発番号）41ａをスマートフォン41に送信すればよい。また，発番号41ａに加えて，発番号41ａに関連付けられている発信者の顔画像41ｂ，ならびに会社名および氏名41ｃを表すデータも，電話帳サーバからスマートフォン41に送信してもよく，この場合にはスマートフォン41のメモリに発信者の顔画像41ｂ，ならびに会社名および氏名41ｃを記憶させておく必要はない。いずれにしても，電話帳サーバが用いられる場合には，ＰＢＸ21は，スマートフォン41だけではなく電話帳サーバにも発番号と着番号を通知する。
【００３１】
通話画面にはさらに，通話終了ボタン41ｄおよび保留ボタン41ｅが表示される。通話終了ボタン41ｄおよび保留ボタン41ｅは，たとえばメニューボタン（図示略）がタップされたときに通話画面上に現れるようにしてもよい。
【００３２】
通話終了ボタン41ｄは電話を切る（オンフックする）ときにタップされる。以下，保留ボタン41ｅを用いた処理の詳細を説明する。
【００３３】
保留ボタン41ｅは，スマートフォン41を用いて発信者と通話をしている着信者が，呼接続を維持しつつ一時的に通話を中断するときに用いられる（自己保留）。以下に説明するように，スマートフォン41のマイクを単にオフする（音声入力を動作させないようにする）のではなく，ＰＢＸ21に用意されている保留機能が用いられる。
【００３４】
スマートフォン41を操作している着信者が通話画面中の保留ボタン41ｅをタップすると（ステップ55），インターネット３を通じてスマートフォン41から制御サーバ31に保留リクエストが送信される。さらに制御サーバ31は受信した保留リクエストにしたがう，ＰＢＸ21を制御するための保留指令をインターネット３を通じてＰＢＸ21に送信する。保留リクエストおよび保留指令には，呼接続54ａ，54ｂを特定するために，発信元電話機11およびスマートフォン41の電話番号が含められる。電話番号に代えてデバイスＩＤ等を含めてもよい。
【００３５】
保留指令を受信したＰＢＸ21は保留指令によって特定される呼接続54ａ，54ｂについて保留処理を実行し（ステップ57），発信元電話機11とＰＢＸ21との間の呼接続54ａを保留状態61ａにする。保留状態61ａとは呼接続を維持しつつも，発信元電話機11からの音声およびスマートフォン41からの音声を遮断する状態である。なお，ＰＢＸ21とスマートフォン41との間の呼接続61ｂ（通話状態）はそのまま維持される。
【００３６】
ＰＢＸ21から発信元電話機11にはまた，保留音声，保留音楽など，保留中であることを発信者に伝える音声が電話網２を通じて送信される（ステップ58）。
【００３７】
さらに，ＰＢＸ21は，ＰＢＸ21と発信元電話機11との間の呼が保留状態61ａに切り換えられた旨を，インターネット３を通じて制御サーバ31に送信する（ステップ59）。保留状態61ａに切り替えられた旨を示すデータを受信した制御サーバ31は，保留画面遷移指示をスマートフォン41に送信する。スマートフォン41の画面が保留画面に切り替えられる（ステップ60）。
【００３８】
図６は，制御サーバ31から保留画面遷移指示を受信した後のスマートフォン41の表示画面（保留画面）を示している。保留画面では，上述した通話画面（図５）に表示されていた保留ボタン41ｅの表示が消え，これに代えて保留解除ボタン41ｆが新たに現れる。
【００３９】
図４は保留を解除するときの通話システム１の処理の流れを示すフローチャートである。
【００４０】
保留画面（図６）中の保留解除ボタン41ｆがタップされる（ステップ62）。インターネット３を通じてスマートフォン41から制御サーバ31に保留解除リクエストが送信される。保留解除リクエストにしたがう保留解除指令が制御サーバ31からＰＢＸ21に送信される。保留解除リクエストおよび保留解除指令にも，保留解除すべき呼接続61ａを特定するために，発信元電話機11の電話番号等が含められる。
【００４１】
保留解除指令を受信したＰＢＸ21は保留解除処理を実行する（ステップ63）。すなわち，発信元電話機11とＰＢＸ21との間の保留状態を解除し，呼接続（通話状態）67ａに戻す。また，ＰＢＸ21は音声送信を停止する（ステップ64）。発信元電話機11とスマートフォン41との間に電話網２を通じてＰＢＸ21を経由する呼接続67ａ，67ｂが再び確立される。
【００４２】
さらにＰＢＸ21は，ＰＢＸ21と発信元電話機11との間の呼が保留状態61ａから呼接続67ａに切り換えられた旨を，インターネット３を通じて制御サーバ31に送信する（ステップ65）。呼接続67ａに切り替えられた旨を示すデータを受信した制御サーバ31は，通常画面遷移指示をスマートフォン41に送信する。スマートフォン41の画面が通常の通話画面（図５）に再び切り替えられる（ステップ66，図５）。
【００４３】
上述のように，保留リクエスト（保留指令）および保留解除リクエスト（保留解除指令）は，電話網２ではなく，インターネット３（データ通信網）を通じてスマートフォン41からＰＢＸ21に送られる。キーパッドで保留番号ないし保留解除番号を直接にダイヤルすることによってＰＢＸ21を制御する必要がなく，簡単にスマートフォン41から保留指示および保留解除指示を出すことができる。
【００４４】
また，スマートフォン41からの保留および保留解除の指示は，スマートフォン41からＰＢＸ21に直接に送信されるのではなく，制御サーバ31を経由してＰＢＸ21に送信される。すなわち，ＰＢＸ21の保留処理および保留解除処理を制御するための命令セットは制御サーバ31に用意される。様々なメーカ製のＰＢＸ21が存在し，命令セットが相互に異なっているとしても，それに即座に対応することができる。
【００４５】
上述した実施例では，ＰＢＸ21から制御サーバ31に送信される呼状態（ステップ59，ステップ65）に応じて制御サーバ31からスマートフォン41に送信される画面遷移指示にしたがって，通話画面（図５）と保留画面（図６）を切り替えている。スマートフォン41における保留ボタン41ｅのタップ（ステップ55），保留解除ボタン41ｆのタップ（ステップ62）に応じて，画面を切り替えるようにしてもよい。この場合には，ＰＢＸ21から制御サーバ31に呼状態を送信する必要は必ずしもない。
【符号の説明】
【００４６】
１  通話システム
２  電話網
３  インターネット
11  電話機
21  構内交換機
22  メモリ
31  制御サーバ
41  スマートフォン（携帯電話端末）
【図１】
2020072355.tif 000003
【図２】
2020072355.tif 000004
【図３】
2020072355.tif 000005
【図４】
2020072355.tif 000006
【図５】
2020072355.tif 000007
【図６】
2020072355.tif 000008